(57)【特許請求の範囲】
【請求項１】
室内側の壁面に取り付けられ、平板形状の開閉蓋と前記開閉蓋と重なる平坦面と前記平坦面の中央に形成される通気口と前記平坦面の外縁全周から延びて前記壁面に固定される枠状の枠体とを有し、前記開閉蓋は前記平坦面に対向するように取り付けられる自然給排気本体と、前記自然給排気本体に対して取り付けられる通気口用フィルターとを備える自然給排気装置であって、
前記通気口用フィルターは、弾性体よりなる平板状の本体を備え、
前記開閉蓋は、閉状態において前記枠体の前記枠状内部を塞ぐように取り付けられ、前記枠体から室内方向に移動自在に構成され、開状態において前記枠体から室内方向に一定距離離れて隙間を設けた状態となり、
前記通気口の中心には前記開閉蓋の前記通気口側の面の中心から突出する作動杆を摺動自在とする軸体が前記通気口の内壁を補強部で架け渡して固定されるように形成され、
前記本体には、前記作動杆が挿通できる挿通部と、
前記挿通部から前記本体の外縁まで連続する切れ目とを備え、
前記本体は、前記開閉蓋が開状態で且つ前記挿通部に前記作動杆又は前記軸体が挿通状態にある時、前記隙間全周を塞ぐ厚さと大きさとを有し、
前記切れ目は、前記本体の外面において波型形状を有する、自然給排気装置。
【請求項２】
室内側の壁面に取り付けられ、正方形平板形状の開閉蓋と前記開閉蓋と重なる平坦面と前記平坦面の中央に形成される通気口と前記平坦面の外縁全周から延びて前記壁面に固定される枠状の枠体とを有し、前記開閉蓋は前記平坦面に対向するように取り付けられる自然給排気本体と、前記自然給排気本体に対して取り付けられる通気口用フィルターとを備える自然給排気装置であって、
前記通気口用フィルターは、弾性体よりなる平板状の本体を備え、
前記開閉蓋は、閉状態において前記枠体の前記枠状内部を塞ぐように取り付けられ、前記枠体から室内方向に移動自在に構成され、開状態において前記枠体から室内方向に一定距離離れて隙間を設けた状態となり、
前記本体は、前記開閉蓋の前記開状態における前記隙間全周を塞ぐ厚さと大きさとを有し、
設置時における前記本体の外縁は、前記平坦面に対する前記開閉蓋の外縁の投影位置よりも大きい、自然給排気装置。
【請求項３】
前記通気口の中心には前記開閉蓋の前記通気口側の面の中心から突出する作動杆を摺動自在とする軸体が前記通気口の内壁を補強部で架け渡して固定されるように形成され、
前記本体には、前記作動杆が挿通できる挿通部と、
前記挿通部から前記本体の外縁まで連続する切れ目とを備え、
前記本体は、前記開閉蓋が開状態で且つ前記挿通部に前記作動杆又は前記軸体が挿通状態にある時、前記隙間全周を塞ぐ厚さと大きさとを有する、請求項２記載の自然給排気装置。
【請求項４】
前記開閉蓋は、正方形平板形状を有し、
設置時における前記本体の外縁は、前記平坦面に対する前記開閉蓋の外縁の投影位置よりも大きい、請求項１記載の自然給排気装置。
【請求項５】
前記本体の外縁と前記開閉蓋の投影位置との間の余剰分であって前記挿通部からの放射方向の長さは、前記開閉蓋のコーナー部に対応する部分に向かうにつれて大きくなるように設定される、請求項１から請求項４のいずれかに記載の自然給排気装置。
【請求項６】
前記本体は、前記挿通部に対する前記切れ目の形成方向の反対方向に突出する突出部が形成される、請求項１から請求項５のいずれかに記載の自然給排気装置。
【請求項７】
前記本体の前記開閉蓋側の面に脱着自在に取り付けられる補足体を更に備え、
前記補足体は、前記本体の設置時に前記本体の前記作動杆又は前記軸体周りの回転を阻止するように前記開閉蓋に係合する回転阻止手段を有する、請求項１から請求項４のいずれかに記載の自然給排気装置。
【請求項８】
室内側の壁面に取り付けられる自然給排気装置であって、
平板形状の開閉蓋と前記開閉蓋と重なる平坦面と前記平坦面の中央に形成される通気口と前記平坦面の外縁全周から延びて前記壁面に固定される枠状の枠体とを有し、前記開閉蓋は前記平坦面に対向すると共に閉状態において前記枠体の前記枠状内部を塞ぐように取り付けられ、前記枠体から室内方向に移動自在に構成され、開状態において前記枠体から室内方向に一定距離離れて隙間を設けた状態となり、前記通気口の中心には前記開閉蓋の前記通気口側の面の中心から突出する作動杆を摺動自在とする軸体が前記通気口の内壁を補強部で架け渡して固定されるように形成される自然給排気本体と、
前記開閉蓋が開状態にある時、前記隙間から脱着自在に挿入され、前記作動杆又は前記軸体に係合すると共に前記隙間の全周を塞ぐ弾性体よりなる通気口用フィルターとを備えた、自然給排気装置。
【請求項９】
請求項１から請求項８のいずれかに記載の自然給排気装置に含まれる、通気口用フィルター。
【発明の詳細な説明】
【技術分野】
【０００１】
この発明は通気口用フィルター及び自然給排気装置に関し、特に、室内側の壁面に取り付けられ通気口を有する自然給排気本体において、通気口に対して取り付ける通気口用フィルターに関するものである。
【背景技術】
【０００２】
図１１は壁面に取り付けられた、従来の自然給排気装置の外観形状を概略的に示した斜視図であり、図１２は図１１に示したＸＩＩ−ＸＩＩラインの端面図である。又、図１１及び図１２の（１）は開閉蓋が閉状態のものであり、（２）は開閉蓋が開状態のものである。
【０００３】
これらの図を参照して、家屋等の室内において、壁面６３に自然給排気装置６１は取り付けられ、室内の空気の入れ替えを行っている。
【０００４】
自然給排気装置６１は、自然給排気本体６５と、通気口用フィルター８１とから構成されている。自然給排気本体６５は、矩形形状を有する平坦面７１と、平坦面７１の中央に形成される通気口７５と、平坦面７１の外縁全周に接続され壁面に沿うように配置される枠体７４と、平坦面７１に対向すると共に枠体７４を塞ぐように取り付けられる開閉蓋６６とを備えている。開閉蓋６６は、コーナー部６８が丸められた正方形平板形状を有している。又、通気口７５の中心には、開閉蓋６６に形成されている作動杆６７を摺動自在とする軸体７８が形成されている。
【０００５】
尚、自然給排気本体６５の軸体７８と開閉蓋６６の作動杆６７との係合状態にあっては、軸体７８における作動杆６７との係合位置を複数段階に変化させることが可能であり、それによって開閉蓋６６の室内方向への移動距離を調節した状態で保持することができる。又、軸体７８と作動杆６７との係合状態を解除することにより、開閉蓋６６を自然給排気本体６５から取り外すことも可能である。
【０００６】
そして、平坦面７１の中央には、通気口７５を塞ぐ大きさの通気口用フィルター８１が脱着自在に取り付けられている。又、通気口用フィルター８１は、不織布８２と、不織布８２の形状を固定する保持部８３とから構成されている。
【０００７】
自然給排気装置６１の不使用時には、図１１及び図１２においてそれぞれ（１）に示したように、開閉蓋６６は、緩衝材７３を介して平坦面７１と接触している閉状態であり、外気が室内に出入りすることがない。
【０００８】
一方、自然給排気装置６１の使用時には、図１１及び図１２においてそれぞれ（２）に示したように、開閉蓋６６の作動杆６７と自然給排気本体６５の軸体７８との係合状態を調節し、開閉蓋６６を室内方向に移動させた開状態で保持することにより、図１２の（２）において矢印で示すように、通気口７５を介した外気の室内への出入りが可能となる。そして外気が室内側に流れ込む時には、通気口用フィルター８１の不織布８２によって外気に含まれている花粉等の粉塵は除去されるので、室内側には新鮮な空気を取り入れることができる。
【発明の概要】
【発明が解決しようとする課題】
【０００９】
上記のような従来の自然給排気装置６１の使用を継続すると、粉塵によって通気口用フィルター８１の不織布８２が汚れ、フィルター性能が低下していくという問題が存在する。通気口用フィルター８１を交換することでこの問題は解決するが、通気口用フィルター８１を交換するためには、まず開閉蓋６６を取り外す必要がある。
【００１０】
図１３は開閉蓋を取り外した、従来の自然給排気装置の外観形状を概略的に示した正面図である。
【００１１】
図を参照して、通気口用フィルター８１は、図示しない開閉蓋が覆っていた平坦面７１の中央に脱着自在に取り付けられている。それゆえ、通気口用フィルター８１を交換するためには、まず開閉蓋を取り外す必要がある。そして開閉蓋を取り外すためには、上述した図１２で示したような、開閉蓋６６の作動杆６７と自然給排気本体６５の軸体７８との係合状態を解除する必要があり、一般使用者にとっては容易でない。
【００１２】
更に、開閉蓋を取り外した後でも、通気口用フィルター８１を交換する際には、更に以下のような問題が存在する。
【００１３】
図１４は図１３に示した従来の自然給排気装置において、通気口用フィルターを取り外した状態の自然給排気本体及び通気口用フィルターのそれぞれの外観形状を概略的に示した正面図であり、図１５は図１４に示した自然給排気本体の外観形状を概略的に示した斜視図である。
【００１４】
これらの図を参照して、通気口７５は円筒形状に形成されており、その内部は補強部７７によって補強されている。又、補強部７７の中央には軸体７８が設けられている。
【００１５】
そして通気口７５の内壁７６には、内壁７６の一部が通気口７５へと突出することで形成されたストッパー７９が、補強部７７よりも室内側の、通気口７５を介して対向する位置４箇所に配置されている。又、各々のストッパー７９の間には、平坦面７１の一部が通気口７５側へ向かって凹むことで形成された取付部７２が４箇所に形成されている。
【００１６】
一方、通気口用フィルター８１は、上述のように不織布８２と保持部８３とから構成されている。保持部８３の中央には開口枠部８７が形成され、通気口用フィルター８１を自然給排気本体６５に取り付ける際には軸体７８が開口枠部８７を貫通するように構成されている。不織布８２は、開口枠部８７の内方が開口するようにして、保持部８３の一方面側に貼着されている。そのため、通気口用フィルター８１を交換する際には、不織布８２だけを取り替えることはできず、通気口用フィルター８１全体を新品のものと交換する必要がある。
【００１７】
このように、従来の自然給排気装置６１にあっては、通気口用フィルター８１は、その保持部８３の外枠形状が取付部７２の形状に適合した、当該自然給排気装置専用のフィルターでなければならないため、機種適合性に欠ける。又、この問題は、作動杆等を備えない開閉蓋を有する自然給排気装置にあっても同様に生じる。
【００１８】
この発明は上記のような課題を解決するためになされたもので、自然給排気装置に対する機種適合性が高く、又、容易に取り付け及び取り外しが可能である通気口用フィルターを提供することを目的とする。
【課題を解決するための手段】
【００１９】
上記の目的を達成するために、請求項１記載の発明は、室内側の壁面に取り付けられ、平板形状の開閉蓋と開閉蓋と重なる平坦面と平坦面の中央に形成される通気口と平坦面の外縁全周から延びて壁面に固定される枠状の枠体とを有し、開閉蓋は平坦面に対向するように取り付けられる自然給排気本体と、自然給排気本体に対して取り付けられる通気口用フィルターとを備える自然給排気装置であって、通気口用フィルターは、弾性体よりなる平板状の本体を備え、開閉蓋は、閉状態において枠体の枠状内部を塞ぐように取り付けられ、枠体から室内方向に移動自在に構成され、開状態において枠体から室内方向に一定距離離れて隙間を設けた状態となり、通気口の中心には開閉蓋の通気口側の面の中心から突出する作動杆を摺動自在とする軸体が通気口の内壁を補強部で架け渡して固定されるように形成され、本体には、作動杆が挿通できる挿通部と、挿通部から本体の外縁まで連続する切れ目とを備え、本体は、開閉蓋が開状態で且つ挿通部に作動杆又は軸体が挿通状態にある時、隙間全周を塞ぐ厚さと大きさとを有し、切れ目は、本体の外面において波型形状を有するものである。
【００２０】
このように構成すると、通気口用フィルターの取り付け及び取り外しが可能となる。又、開閉蓋が開状態にある時、通気口用フィルターの取り付け及び取り外しが可能となる。更に、挿通部によって取付位置が定まる。更に、切れ目が開いた状態におけるフィルター効果の低下を抑制することができる。
請求項２記載の発明は、室内側の壁面に取り付けられ、正方形平板形状の開閉蓋と開閉蓋と重なる平坦面と平坦面の中央に形成される通気口と平坦面の外縁全周から延びて壁面に固定される枠状の枠体とを有し、開閉蓋は平坦面に対向するように取り付けられる自然給排気本体と、自然給排気本体に対して取り付けられる通気口用フィルターとを備える自然給排気装置であって、通気口用フィルターは、弾性体よりなる平板状の本体を備え、開閉蓋は、閉状態において枠体の枠状内部を塞ぐように取り付けられ、枠体から室内方向に移動自在に構成され、開状態において枠体から室内方向に一定距離離れて隙間を設けた状態となり、本体は、開閉蓋の開状態における隙間全周を塞ぐ厚さと大きさとを有し、設置時における本体の外縁は、平坦面に対する開閉蓋の外縁の投影位置よりも大きいものである。
このように構成すると、通気口用フィルターの取り付け及び取り外しが可能となる。又、取付位置の誤差を吸収することができる。
【００２１】
請求項３記載の発明は、請求項２記載の発明の構成において、通気口の中心には開閉蓋の通気口側の面の中心から突出する作動杆を摺動自在とする軸体が通気口の内壁を補強部で架け渡して固定されるように形成され、本体には、作動杆が挿通できる挿通部と、挿通部から本体の外縁まで連続する切れ目とを備え、本体は、開閉蓋が開状態で且つ挿通部に作動杆又は軸体が挿通状態にある時、隙間全周を塞ぐ厚さと大きさとを有するものである。
【００２２】
このように構成すると、開閉蓋が開状態にある時、通気口用フィルターの取り付け及び取り外しが可能となる。又、挿通部によって取付位置が定まる。
【００２５】
請求項４記載の発明は、請求項１記載の発明の構成において、開閉蓋は、正方形平板形状を有し、設置時における本体の外縁は、平坦面に対する開閉蓋の外縁の投影位置よりも大きいものである。
【００２６】
このように構成すると、取付位置の誤差を吸収することができる。
【００２７】
請求項５記載の発明は、請求項１から請求項４のいずれかに記載の発明の構成において、本体の外縁と開閉蓋の投影位置との間の余剰分であって挿通部からの放射方向の長さは、開閉蓋のコーナー部に対応する部分に向かうにつれて大きくなるように設定されるものである。
【００２８】
このように構成すると、本体が作動杆又は軸体を中心に傾斜した時、隙間を効率的に塞ぐことができる。又、開閉蓋のコーナー部に対応する余剰分が設置時の目安になる。
【００２９】
請求項６記載の発明は、請求項１から請求項５のいずれかに記載の発明の構成において、本体は、挿通部に対する切れ目の形成方向の反対方向に突出する突出部が形成されるものである。
【００３０】
このように構成すると、設置時に突出部を上方にして把持可能となる。
【００３１】
請求項７記載の発明は、請求項１から請求項４のいずれかに記載の発明の構成において、本体の開閉蓋側の面に脱着自在に取り付けられる補足体を更に備え、補足体は、本体の設置時に本体の作動杆又は軸体周りの回転を阻止するように開閉蓋に係合する回転阻止手段を有するものである。
【００３２】
このように構成すると、設置時に本体の回転の虞がない。
【００３３】
請求項８記載の発明は、室内側の壁面に取り付けられる自然給排気装置であって、平板形状の開閉蓋と開閉蓋と重なる平坦面と平坦面の中央に形成される通気口と平坦面の外縁全周から延びて壁面に固定される枠状の枠体とを有し、開閉蓋は平坦面に対向すると共に閉状態において枠体の枠状内部を塞ぐように取り付けられ、枠体から室内方向に移動自在に構成され、開状態において枠体から室内方向に一定距離離れて隙間を設けた状態となり、通気口の中心には開閉蓋の通気口側の面の中心から突出する作動杆を摺動自在とする軸体が通気口の内壁を補強部で架け渡して固定されるように形成される自然給排気本体と、開閉蓋が開状態にある時、隙間から脱着自在に挿入され、作動杆又は軸体に係合すると共に隙間の全周を塞ぐ弾性体よりなる通気口用フィルターとを備えたものである。
【００３４】
このように構成すると、開閉蓋が開状態にある時、通気口用フィルターの取り付け及び取り外しが可能である。又、作動杆又は軸体によって取付位置が定まる。
請求項９記載の発明は、請求項１から請求項８のいずれかに記載の自然給排気装置に含まれる、通気口用フィルターである。
このように構成すると、通気口用フィルターの取り付け及び取り外しが可能となる。
【発明の効果】
【００３５】
以上説明したように、請求項１記載の発明は、開閉蓋が開状態にある時、通気口用フィルターの取り付け及び取り外しが可能となり、又、挿通部によって取付位置が定まるため、機種適合性が向上する。又、使い勝手が向上する。更に、取付状態が安定する。更に、切れ目が開いた状態におけるフィルター効果の低下を抑制することができるため、信頼性が向上する。
請求項２記載の発明は、通気口用フィルターの取り付け及び取り外しが可能となるため、機種適合性が向上する。又、使い勝手が向上する。更に、取付状態が安定する。又、取付位置の誤差を吸収することができるため、フィルター効果を維持することができる。
【００３６】
請求項３記載の発明は、請求項２記載の発明の効果に加えて、開閉蓋が開状態にある時、通気口用フィルターの取り付け及び取り外しが可能となり、又、挿通部によって取付位置が定まるため、機種適合性が向上する。又、使い勝手が向上する。更に、取付状態が安定する。
【００３８】
請求項４記載の発明は、請求項１記載の発明の効果に加えて、取付位置の誤差を吸収することができるため、フィルター効果を維持することができる。
【００３９】
請求項５記載の発明は、請求項１から請求項４のいずれかに記載の発明の効果に加えて、本体が作動杆又は軸体を中心に傾斜した時、隙間を効率的に塞ぐことができるため、効率的な素材の活用となる。又、開閉蓋のコーナー部に対応する余剰分が設置時の目安になるため、設置が容易となる。
【００４０】
請求項６記載の発明は、請求項１から請求項５のいずれかに記載の発明の効果に加えて、設置時に突出部を上方にして把持可能となるため、切れ目が下方になるので設置方向の目安とすることができる。
【００４１】
請求項７記載の発明は、請求項１から請求項４のいずれかに記載の発明の効果に加えて、設置時に本体の回転の虞がないため、通気口用フィルターの余剰分を小さくすることができる。
【００４２】
請求項８記載の発明は、開閉蓋が開状態にある時、通気口用フィルターの取り付け及び取り外しが可能であるため、交換が容易であり使い勝手が向上する。又、作動杆又は軸体によって取付位置が定まるため、取付状態が安定する。
請求項９記載の発明は、通気口用フィルターの取り付け及び取り外しが可能となるため、機種適合性が向上する。又、使い勝手が向上する。更に、取付状態が安定する。
【図面の簡単な説明】
【００４３】
【図１】この発明の第１の実施の形態による通気口用フィルターの外観形状を示す概略斜視図である。
【図２】自然給排気本体に対して取り付けを開始した、図１で示した通気口用フィルター及び自然給排気本体の外観形状を示す概略斜視図である。
【図３】自然給排気本体に対して取り付けの途中である、図１で示した通気口用フィルター及び自然給排気本体の外観形状を示す概略斜視図である。
【図４】自然給排気本体に対して取り付けを完了した、図１で示した通気口用フィルター及び自然給排気本体の外観形状を示す概略斜視図であって、（１）は開閉蓋を取り付けた状態を示すものであり、（２）は開閉蓋を取り外した状態を示すものである。
【図５】図４で示したＶ−Ｖラインの端面図である。
【図６】図４で示した通気口用フィルター及び自然給排気本体において、通気口用フィルターが傾斜した状態を示す概略斜視図である。
【図７】図４で示した通気口用フィルターの頂点部周辺の外縁の外観形状を示した拡大正面図である。
【図８】図７で示した通気口用フィルターの設計理論を模式的に説明する平面図であって、（１）は非傾斜時のものであり、（２）は傾斜時の状態のものである。
【図９】この発明の第２の実施の形態による通気口用フィルターの外観形状を示す斜視図であって、図１に対応するものである。
【図１０】自然給排気本体に対して取り付けた状態の、図９で示した通気口用フィルターの外観形状を示す概略斜視図である。
【図１１】壁面に取り付けられた、従来の自然給排気装置の外観形状を概略的に示した斜視図であって、（１）は開閉蓋が閉状態のものであり、（２）は開閉蓋が開状態のものである。
【図１２】図１１に示したＸＩＩ−ＸＩＩラインの端面図である。
【図１３】開閉蓋を取り外した、従来の自然給排気装置の外観形状を概略的に示した正面図である。
【図１４】図１３に示した従来の自然給排気装置において、フィルターを取り外した状態の自然給排気本体及びフィルターのそれぞれの外観形状を概略的に示した正面図である。
【図１５】図１４に示した自然給排気本体の外観形状を概略的に示した斜視図である。
【発明を実施するための形態】
【００４４】
図１はこの発明の第１の実施の形態による通気口用フィルターの外観形状を示す概略斜視図である。
【００４５】
図を参照して、通気口用フィルター１は、連泡スポンジ等の弾性体からなり、平板状の本体２と、本体２に形成され、図示しない作動杆又は軸体が挿通できる大きさの開口３と、開口３から本体２の外縁まで連続する波型形状の切れ目４と、本体２に形成され、開口３に対する切れ目４の形成方向の反対方向に突出する突出部６とで構成されている。本体２は、その外縁の頂点部５が、本体２の板厚方向（以下、この方向を正面とする。）から見て丸みを帯びるように延伸した形状となっている。
【００４６】
又、通気口用フィルター１は弾性体からなるため、通気口用フィルター１自身の形状回復性が高く、上記図１４で示したような従来の通気口用フィルター８１の保持部８３を必要としない。それゆえ、通気口用フィルター１を取り付ける自然給排気本体に対しても、従来の保持部に適合するような構造を要求しない。
【００４７】
次に、この通気口用フィルター１の自然給排気本体への取り付けについて説明する。
【００４８】
図２は自然給排気本体に対して取り付けを開始した、図１で示した通気口用フィルター及び自然給排気本体の外観形状を示す概略斜視図である。
【００４９】
尚、図２は説明のため開閉蓋１６を一部破断した状態で描いている。又、自然給排気本体については、従来例と基本的に同様のものであるので説明を繰り返さない。
【００５０】
図を参照して、開閉蓋１６が上述した開状態にある時、通気口用フィルター１を、切れ目４が自然給排気本体１５の軸体２８又は図示しない作動杆と対向するように持ち、図の矢印で示す方向に枠体２４と開閉蓋１６との隙間に押し込むようにして取り付けを開始する。
【００５１】
この時、突出部６は切れ目４の形成方向とは反対方向に位置するため、突出部６を上方に来るように持つことで切れ目４を下方に向けることができ、設置方向の目安の判断が容易である。又、取り付ける際には、突出部６又は頂点部５を把持することで、押し込む力を入れやすく使い勝手が良い。
【００５２】
図３は自然給排気本体に対して取り付けの途中である、図１で示した通気口用フィルター及び自然給排気本体の外観形状を示す概略斜視図である。
【００５３】
尚、図３は説明のため開閉蓋１６を一部破断した状態で描いている。
【００５４】
図を参照して、通気口用フィルター１は取り付け状態が進み、切れ目４の一部が軸体２８又は図示しない作動杆を通過することで、切れ目４は広がっている。
【００５５】
図４は自然給排気本体に対して取り付けを完了した、図１で示した通気口用フィルター及び自然給排気本体の外観形状を示す概略斜視図であって、（１）は開閉蓋を取り付けた状態を示すものであり、（２）は開閉蓋を取り外した状態を示すものである。
【００５６】
これらの図を参照して、通気口用フィルター１は、開口３が自然給排気本体１５の軸体２８又は開閉蓋１６の作動杆１７に嵌合し、切れ目４は弾性によって形状が回復するように閉じ、自然給排気本体１５に対して取り付けが完了した状態である。この時、開口３に軸体２８又は作動杆１７が挿通した状態であるため、取り付け状態が安定している。
【００５７】
尚、通気口用フィルター１を自然給排気本体１５から取り外す際には、取付時に押し込んだ方向とは反対方向に引っ張ることで、切れ目４が広がり、容易に取り外し交換することが可能である。
【００５８】
そして、通気口用フィルター１は、本体２の外縁の位置が、設置時における本体に対する開閉蓋の外縁の投影位置に対して大きく設定されているため、開閉蓋１６と枠体２４とからなる隙間全周を塞いでおり、設置に誤差が生じてもその誤差を吸収することができ、フィルターの効果を維持することが可能である。
【００５９】
又、通気口用フィルター１の頂点部５は、取り付けが完了することで開閉蓋１６のコーナー部１８に対応する余剰分が露出する状態になるため、取付時の目安になり設置が容易である。
【００６０】
尚、設置に誤差が生じたり、又は開口３の正面視直径に比して軸体２８又は作動杆１７が大きかったりした場合に、切れ目４がやや開いた状態で取り付けられる場合が考えられる。そのような場合、この実施の形態にあっては、切れ目は、本体の板厚方向から見て波型形状を有しているため、切れ目が直線状のものに比べてフィルター効果の低下が抑制される。即ち、切れ目が直線状であると外方に向かって直線状の通気ルートが形成されるのに対し、切れ目が波型形状であると通気ルートが曲線状に形成されるので通気口用フィルターとの接触面積が直線状のものに比べて増加するからである。
【００６１】
図５は図４で示したＶ−Ｖラインの端面図である。
【００６２】
図を参照して、通気口用フィルター１は、取付状態において、開閉蓋１６と枠体２４とからなる隙間全周を塞ぐ厚さを有しており、加えて、上述したように、開閉蓋１６と枠体２４とからなる隙間全周を塞ぐ大きさも有しているため、通気口２５から流入する外気に対して、確実にフィルター効果を奏することが可能である。
【００６３】
又、開閉蓋１６の室内方向への移動状態は複数段階に調節でき、更に通気口用フィルター１は弾性体からなるため、多様な自然給排気本体に対して通気口用フィルター１の厚さが開閉蓋１６と枠体２４とからなる隙間に適合するように調節でき、取付状態が安定している。
【００６４】
このように、この発明による通気口用フィルター１は、機種適合性が高く、多様な自然給排気本体に対してフィルター効果を奏することが可能である。
【００６５】
ところで、通気口用フィルター１は取付状態において、上述したように開口に作動杆又は軸体が挿通し、更に本体が枠体と開閉蓋とからなる隙間全周を塞ぐことで固定されているが、使用に際しては本体が作動杆又は軸体を中心に回転し傾斜する設置状態が起こりうる。
【００６６】
図６は図４で示した通気口用フィルター及び自然給排気本体において、通気口用フィルターが傾斜した設置状態の外観形状を示す概略斜視図である。
【００６７】
図を参照して、通気口用フィルター１は、傾斜しながらも、本体２が枠体２４と開閉蓋１６とからなる隙間全周を塞いでおり、フィルター効果を維持している。
【００６８】
ここで、本体２が傾斜している時の状態について説明する。
【００６９】
図７は図４で示した通気口用フィルターの頂点部周辺の外縁の外観形状を示した拡大正面図である。
【００７０】
図を参照して、この実施の形態による通気口用フィルター１にあっては、本体２の外縁７と開閉蓋１６の投影位置との間の余剰分であって開口３の中心からの放射方向の長さ（例えばＬ１〜Ｌ５）は、開閉蓋１６のコーナー部１８に対応する部分に向かうにつれて大きくなる（Ｌ１＜〜＜Ｌ５）ように設定されている。この設計の効果について以下説明する。
【００７１】
図８は図７で示した通気口用フィルターの設計理論を模式的に説明する平面図であって、（１）は非傾斜時のものであり、（２）は傾斜時の状態のものである。
【００７２】
まず（１）を参照して、非傾斜時に、矩形のカバー部２０は、矩形の被カバー部２１の全周をほぼ覆う大きさである。ここで、カバー部２０が中心点２２を中心にして回転し傾斜すると、（２）の状態となる。
【００７３】
次に（２）を参照して、傾斜時には、カバー部２０が被カバー部２１を覆いきれていない複数の非カバー領域２３が発生する。ここで、図の両端矢印の線が示すように、中心点２２から非カバー領域２３までの放射方向の長さは、カバー部２０の頂点に向かうにつれて大きくなる。
【００７４】
即ち、発生しうる非カバー領域２３を覆う形状にカバー部２０が設計されていれば、傾斜時にもカバー部２０は被カバー部２１の全周を覆っている状態となる。
【００７５】
この発明において、カバー部２０は通気口用フィルターの本体に相当し、被カバー部２１は本体に対する開閉蓋の投影位置に相当する。又、この発明の通気口用フィルターは上述のように取付状態が安定するので、傾斜するとしてもその傾斜角度は小さいため、設置時における開閉蓋のコーナー部の投影位置に対応する本体の頂点部周辺の余剰分の開口からの長ささえ余裕を持たせていれば、同様の効果を奏することが可能である。
【００７６】
よって、戻って図７を参照して、通気口用フィルター１の本体２の外縁７と開閉蓋１６の投影位置との間の余剰分であって開口３からの放射方向の長さ（Ｌ１〜Ｌ５）が、開閉蓋１６のコーナー部１８に対応する部分に向かうにつれて大きくなるように設定されていることにより、本体２の傾斜時にも本体２は図示しない枠体と開閉蓋１６とからなる隙間全周を覆った状態を維持することが可能である。又、上述のように傾斜時のカバー状態に重要となる頂点部５周辺に余剰分を大きめに設定しているため、素材を無駄なく効率的に活用することとなる。
【００７７】
次に、図９はこの発明の第２の実施の形態による通気口用フィルターの外観形状を示す斜視図であって、図１に対応するものである。
【００７８】
図を参照して、この実施の形態による通気口用フィルター１は、本体２と、補足体９とから構成されている。本体２の構造は第１の実施の形態と基本的に同様であるが、突出部が無く、外縁が正面視において略矩形形状を有していることに相違点が存在する。補足体９は、突出部３６と、突出部３６の下方に接続され平板状に延びる胴体部１０と、胴体部１０の一方面に配置される複数の小さな面状ファスナー１２ａ〜ｄと、胴体部１０の外縁の左端の一部が延伸した係合部１４ａの一方面に配置される大きな面状ファスナー１１ａと、胴体部１０の外縁の右端の一部が延伸した係合部１４ｂの面状ファスナー１１ａの存在する面とは反対側の面に配置される大きな面状ファスナー１１ｂとで構成されている。胴体部１０の外縁の下端には、胴体部１０の中央に向かってスリット１３が形成されている。
【００７９】
図の一点鎖線は、本体２に取り付けた補足体９の状態を示している。
【００８０】
補足体９は、本体２の図示しない自然給排気本体への設置時における開閉蓋側の面に、面状ファスナー１２ａ〜ｄによって脱着自在に取り付けられる。又、スリット１３によって、補足体９を取り付けた本体２の開口３及び切れ目４は露出しており、本体２の図示しない自然給排気本体への設置時に影響は無い。
【００８１】
図１０は自然給排気本体に対して取り付けた状態の、図９で示した通気口用フィルターの外観形状を示す概略斜視図である。
【００８２】
図を参照して、通気口用フィルター１の自然給排気本体１５への取付方法は第１の実施の形態のものと基本的に同様であるが、所定の取付位置に本体２を取り付けた後、更に開閉蓋１６へ係合することに相違点が存在するため説明する。
【００８３】
図の一点鎖線で示すように、取付時点では、係合部１４ａ、ｂが開閉蓋１６から突出している。その突出した係合部１４ａ、ｂの各々を開閉蓋１６の外縁に沿って折り曲げ、開閉蓋１６の室内側の面上で面状ファスナー１１ａ及び面状ファスナー１１ｂを係合させる。これによって、胴体部１０は開閉蓋１６と一体化するので、本体２の図示しない作動杆又は軸体周りの回転を阻止することができる。
【００８４】
又、本体２が回転し傾斜する虞が無いため、本体２の外縁における開閉蓋１６の投影位置との余剰分は小さくて済み、素材を効率的に活用することができる。
【００８５】
尚、上記の第２の実施の形態では、補足体は、本体に面状ファスナーを用いて取り付けられるが、脱着自在に取り付けることができるものであれば良い。
【００８６】
又、上記の第２の実施の形態では、補足体は回転阻止手段として面状ファスナーを用いているが、本体の設置時に本体の作動杆又は軸体周りの回転を阻止するように開閉蓋に係合するものであれば良い。
【００８７】
更に、上記の各実施の形態では、通気口用フィルターに形成される切れ目は、角ばった波型であるが、滑らかな波型であっても良いし、直線状であっても良い。
【００８８】
更に、上記の第１の実施の形態では、本体に突出部が形成されているが、突出部が無くとも良い。
【００８９】
更に、上記の第１の実施の形態では、通気口用フィルターの外縁が、設置時に本体への開閉蓋の投影位置に対して余剰分が設定された略矩形形状であって、更に頂点部分が正面視において丸みを帯びるように延伸した形状であるが、余剰分の無い形状であっても良い。
【００９０】
更に、上記の各実施の形態では、通気口用フィルターの取付時において、開口には作動杆が挿通しているが、自然給排気本体の機種によって軸体が作動杆を覆うものや作動杆と軸体とが外表面上で係合するもの等が存在するため、開口には作動杆又は軸体が挿通するものであれば良い。
【００９１】
更に、上記の各実施の形態では、通気口用フィルターは連泡スポンジからなるが、弾性体からなるものであれば他の通気口用フィルターであっても良い。
【００９２】
更に、上記の各実施の形態では、通気口用フィルターの形状は特定されているが、開閉蓋と枠体との隙間全周を塞ぐことのできる形状であれば良い。
【００９３】
更に、上記の各実施の形態では、開閉蓋は、枠体を塞ぐように作動杆を介して取り付けられ、枠体から室内方向に移動自在に構成される自然給排気装置を対象としているが、作動杆等を有さずに枠体から所定距離離れた位置に設置される開閉蓋を備えた自然給排気装置にも同様に適用できる。この場合、通気口用フィルターは開口や切れ目は無くとも同様の効果を奏する。
【００９４】
更に、上記の各実施の形態では、作動杆等を挿通する挿通部として特定形状の開口を本体に形成しているが、この開口に代えて他の形状の開口や、×状、＋状の切込みや、単なる切れ目の先端部等の他の形状による挿通部を使用しても良い。
【００９５】
更に、上記の実施の形態では、開閉蓋は、コーナー部が丸められた正方形平板形状を有しているが、コーナー部が丸められていない正方形平板形状の開閉蓋にも同様に本願発明は適用できる。したがって、本願における正方形平板形状とは、コーナー部が丸められた正方形平板形状も含む概念で使用する。
【符号の説明】
【００９６】
１…通気口用フィルター
２…本体
３…開口
４…切れ目
６…突出部
７…外縁
９…補足体
１４…係合部
１５…自然給排気本体
１６…開閉蓋
１７…作動杆
１８…コーナー部
２４…枠体
２５…通気口
２８…軸体
３６…突出部
６１…自然給排気装置
６３…壁面
６５…自然給排気本体
６６…開閉蓋
６７…作動杆
６８…コーナー部
７１…平坦面
７４…枠体
７５…通気口
７８…軸体
８１…通気口用フィルター
尚、各図中同一符号は同一又は相当部分を示す。
【図１】
0006553424.tif 000002
【図２】
0006553424.tif 000003
【図３】
0006553424.tif 000004
【図４】
0006553424.tif 000005
【図５】
0006553424.tif 000006
【図６】
0006553424.tif 000007
【図７】
0006553424.tif 000008
【図８】
0006553424.tif 000009
【図９】
0006553424.tif 000010
【図１０】
0006553424.tif 000011
【図１１】
0006553424.tif 000012
【図１２】
0006553424.tif 000013
【図１３】
0006553424.tif 000014
【図１４】
0006553424.tif 000015
【図１５】
0006553424.tif 000016